(57)【要約】【課題】バチ先が破損したとき、或いは音楽のジャンルや楽器の種類に応じてバチを使い分けるとき、バチにかかる費用を低廉化できるようにする。【解決手段】握り部１の先端部１ａに略扇形のバチ本体部２を形成している三味線のバチであって、上記のバチ本体部２を、握り部１の先端部１ａに交換自在に設ける。【選択図】      図１
2004212464.tif 000002
【特許請求の範囲】
【請求項１】
握り部の先端部に略扇形のバチ本体部が形成されている三味線のバチであって、上記のバチ本体部が握り部の先端部に交換自在に設けられていることを特徴とする三味線のバチ。
【請求項２】
請求項１記載の三味線のバチであって、握り部の先端部に、バチ本体部の基端側の両面を挟む一対の挟み片が設けられ、この挟み片とバチ本体部の対応箇所に互いに嵌合する嵌合部が形成され、バチ本体部が挟み片の間に挟み込まれると共に、嵌合部が嵌め合わされることにより交換自在に形成されていることを特徴とする三味線のバチ。
【請求項３】
請求項２記載の三味線のバチであって、挟み片内に位置する握り部の先端部の端面に、バチ本体部との嵌合用の段差部が形成され、この段差部と嵌合する段差がバチ本体部の基端側に形成されていることを特徴とする三味線のバチ。
【発明の詳細な説明】
【０００１】
【発明の属する技術分野】
本発明は、三味線のバチに関し、更に詳しくはバチ先が破損しても低コストで対応できると共に、音楽のジャンルや楽器に応じて材質や形状等の異なるバチを、簡単、容易に、且つ低コストで使用できるよう形成した三味線のバチに関するものである。
【０００２】
【従来の技術】
従来、三味線のバチとしては、例えばシラノール基数が１００平方オングストローム当たり３．０以下であり、ＢＥＴ比表面積が１００〜２１０ｍ２／ｇのシリカを含有するセルロース誘導体樹脂からなり、デュロメータ硬さで８２以上の表面硬度を有することを特徴とするものがある（例えば特許文献１参照）。
【０００３】
【特許文献１】
特許第２７６４５１６号公報
【０００４】
【発明が解決しようとする課題】
ところで従来、三味線の演奏者や愛好者は、例えば地歌、柳川、長唄等の演奏する音楽のジャンルによってバチを使い分け、音色や演奏方法を変更することが多い。従って演奏者等は、材質や大きさの異なるバチを複数揃える必要があったから、バチが高価な事もあいまって、バチにかかる費用を軽視できなかった。
又従来、三味線のバチは、全体が象牙や水牛の角、木などで作られていたり、或いは象牙製の握り部の先に、鼈甲製のバチ本体部が接着されているのが通例である。従って従来、例えばバチ先が欠けると、全体を交換しなければならなかったり、バチ本体部を握り部から剥がし、新品のバチ本体部を接着し直す必要があった。そのため従来品によると、バチの買い替え費や修理費が高く付き、この点でも三味線の愛好者や演奏者にとっては経済的な負担が大きいものであった。
【０００５】
本発明は、このような従来の実情に鑑み、提案されたものである。
従って本発明の技術的課題は、バチ先が破損したとき、或いは音楽のジャンルや楽器の種類に応じてバチを使い分けるとき、バチにかかる費用を低廉化できるよう形成した三味線のバチを提供することにある。
【０００６】
【課題を解決するための手段】
本発明は、上記の課題を解決するために、次のような技術的手段を採る。
【０００７】
即ち本発明は、図１等に示されるように、握り部１の先端部１ａに略扇形のバチ本体部２が形成されている三味線のバチであって、上記のバチ本体部２が握り部１の先端部１ａに交換自在に設けられていることを特徴とする（請求項１）。
【０００８】
ここで、交換自在に、とは、バチ本体部２が握り部１の先端部１ａに、ねじ込み式、嵌め込み式、或いはネジ等の止め具で取付け取外し可能に形成されていることを意味する。本発明の場合、バチ本体部２や、握り部１の材質、形状等は任意である。バチ本体部２を、例えば軟質性の合成樹脂材で形成すると、バチ音を低減化できる、という利点がある。握り部１の材質としては、象牙、水牛の角、木、プラスチック、金属材等がある。
【０００９】
而して本発明は、握り部１の先端部１ａに、バチ本体部２の基端側の両面を挟む一対の挟み片３が設けられ、この挟み片３とバチ本体部２の対応箇所に互いに嵌合する嵌合部５ａ，５ｂが形成され、バチ本体部２が挟み片３の間に挟み込まれると共に、嵌合部５ａ，５ｂが嵌め合わされることにより交換自在に形成されているのが好ましい（請求項２）。
【００１０】
なぜならこれによると、簡単な仕組みでバチ本体部２の交換を、迅速且つ楽にできるからである。本発明の場合、挟み片３は、別部材で形成されるのでも、或いはポリアセタール等の合成樹脂材や金属材等で握り部１と一体状に形成されているのでも良い。
【００１１】
又本発明の場合は、挟み片３内に位置する握り部１の先端部１ａの端面１ａ1に、バチ本体部２との嵌合用の段差部１ｂが形成され、この段差部１ｂと嵌合する段差２ａがバチ本体部２の基端側に形成されているのが好ましい（請求項３）。
【００１２】
なぜならこれを使用すると、バチ本体部２が握り部１に対し横方向に位置ずれすることを防止でき、両者の連結状態を安定化、確実化できるからである。この本発明の場合、段差部１ｂは凹段差状でも凸段差状でも良く、凹段差状の場合はバチ本体部２の段差２ａが凸段差状に形成される。
【００１３】
【発明の実施の形態】
以下、本発明の好適な一実施形態を添付図面に従って説明する。
【００１４】
図１等において、１は象牙や水牛の角等で形成されている握り部である。又２は、その先端部１ａに形成されている略扇形のバチ本体部である。このバチ本体部２は、例えば鼈甲や、或いは音を低減できるよう軟質性の樹脂材で形成され、握り部１の先端部１ａに交換自在に設けられている。
【００１５】
３は、バチ本体部２の基端側の両面を挟む一対の挟み片である。この挟み片３は、例えば樹脂材で形成され、握り部１の先端部１ａにネジ４で止め付けられると共に、接着されている。又挟み片３とバチ本体部２の対応箇所に、互いに嵌合する嵌合部５ａ，５ｂが形成されている。嵌合部５ａ，５ｂは、この実施形態では図示されるように、挟み片３、バチ本体部２とも、正面視で線対称位置に左右一対形成され、挟み片３の嵌合部５ａは内面に突起状に、バチ本体部２の嵌合部５ｂは対応する外面位置に貫通孔状に形成されている。これによりバチ本体部２は、挟み片３の間に挟み込まれると共に、嵌合部５ａ，５ｂが嵌め合わされることにより交換自在に形成されている。
【００１６】
又この実施形態の本発明は、挟み片３内に位置する握り部１の先端部１ａの端面１ａ1に、バチ本体部２との嵌合用の段差部１ｂが形成されている。この段差部１ｂは凹段差状に形成され、バチ本体部２の基端側にはこの段差部１ｂと嵌合する段差２ａが凸段差状に形成されている。
【００１７】
本発明品は、このように形成されているため、バチ先２ｂが欠けたときは、挟み片３の間からバチ本体部２を、嵌合状態を解きながら抜き取る。そして新品のバチ本体部２を、図１に示されるように、その基端側を挟み片３の間に差し入れて、段差２ａを段差部１ｂに係合させ、嵌合部５ａ，５ｂ同士を嵌合させて挟み片３の間に挟み込む。又バチの種類を変える場合も、同様にしてバチ本体部２を挟み片３に抜脱操作して使用する。
【００１８】
以上の処において、上例では挟み片３が握り部１の先端部１ａに重ねられて設けられているが、本発明は、図４Ｂに示されるように、握り部１の先端部１ａに、握り部１と面一になるよう固定されているのでも良い。
又本発明の場合、上記の嵌合部５ａ，５ｂの個数や形状、位置等は、任意であり、例えば図７に示されるように、嵌合部５ａ，５ｂは正面視で中央位置に一個形成されているのでも良い。
又挟み片３は、同図に示されるように、握り部１と一体成型されているのでも良く、材質も樹脂材や金属材等任意である。又本発明では、バチ本体部２の材質や形状等も任意である。
【００１９】
【発明の効果】
以上説明したように本発明は、握り部の先端部に略扇形のバチ本体部を形成している三味線のバチであって、上記のバチ本体部を、握り部の先端部に交換自在に設けているものである。
【００２０】
従って本発明の場合は、バチ先が欠けてもバチ本体部だけを交換することで済み、又音楽のジャンルや楽器の種類に応じてバチを使い分けたいときも、握り部を共通化してバチ本体部だけ種類の異なるものを用意することで済むから、これによれば、バチ代を低廉化できる。
【図面の簡単な説明】
【図１】本発明のバチの好適な一実施形態を示す分解斜視図である。
【図２】同上バチの正面図である。
【図３】図２のIII―III線における要部拡大断面図である。
【図４】Ａは図２のＩＶ―ＩＶ線における要部拡大断面図、Ｂは挟み片の取付状態の他の実施形態を示す要部拡大断面図である。
【図５】同上バチの側面図である。
【図６】図５のＶＩ―ＶＩ線における要部拡大断面図である。
【図７】Ａは同上バチの他の実施形態を示す要部正面図、ＢはＡのＢ―Ｂ線における要部拡大断面図である。
【符号の説明】
１    握り部
１ａ  先端部
１ａ1  端面
１ｂ  段差部
２    バチ本体部
２ａ  段差
２ｂ  バチ先
３    挟み片
４    ネジ
５ａ，５ｂ  嵌合部
【図１】
2004212464.tif 000003
【図２】
2004212464.tif 000004
【図３】
2004212464.tif 000005
【図４】
2004212464.tif 000006
【図５】
2004212464.tif 000007
【図６】
2004212464.tif 000008
【図７】
2004212464.tif 000009